(57)【要約】【課題】簡単な設備で状況に応じて端末を制御することが可能な情報送受信システムを提供すること。【解決手段】情報送受信システムは、情報記憶媒体から識別情報を読み取る読取手段（２０２）と、前記読取手段により読み取られた識別情報に基づき情報送信先アドレスを検索する検索手段（３０１、３０２）と、前記検索手段により検索された情報送信先アドレスに対して、公衆通信網を介して前記情報記憶媒体の利用情報を送信する情報送信手段（３０１）と、公衆通信網を介して利用情報を受信する受信手段（４０１）と、前記受信手段により受信された利用情報及び予め格納した動作制御プログラムに基づき、動作を制御する動作制御手段（４０４、４０５）とを備えている。【選択図】      図１
2006060598.tif 000002
【特許請求の範囲】
【請求項１】
情報記憶媒体から識別情報を読み取る読取手段と、
前記読取手段により読み取られた識別情報に基づき情報送信先アドレスを検索する検索手段と、
前記検索手段により検索された情報送信先アドレスに対して、公衆通信網を介して前記情報記憶媒体の利用情報を送信する情報送信手段と、
公衆通信網を介して利用情報を受信する受信手段と、
前記受信手段により受信された利用情報及び予め格納した動作制御プログラムに基づき、動作を制御する動作制御手段と、
を備えたことを特徴とする情報送受信システム。
【請求項２】
情報記憶媒体から識別情報及び改札判定必要情報を読み取る読取手段と、
前記読取手段により読み取られた改札判定必要情報に基づき改札処理を行なう改札手段と、
前記読取手段により読み取られた識別情報に基づき情報送信先アドレスを検索する検索手段と、
前記検索手段により検索された情報送信先アドレスに対して、公衆通信網を介して前記情報記憶媒体による改札処理情報を送信する情報送信手段と、
公衆通信網を介して、前記情報送信手段から送信される改札処理情報、及び各種送信先から送信される各種情報を受信する受信手段と、
前記受信手段により受信された改札処理情報及び予め格納した動作制御プログラムに基づき、各種情報の着信を通知する着信モードの切り換えを制御する着信モード切換制御手段と、
前記着信モード切換制御手段により切換制御された着信モードに基づき、各種情報の着信時に各種情報の着信を通知する着信通知手段と、
前記受信手段により受信された各種情報を出力する出力手段と、
を備えたことを特徴とする情報送受信システム。
【請求項３】
情報記憶媒体から識別情報及び改札判定必要情報を読み取る読取手段と、
前記読取手段により読み取られた改札判定必要情報に基づき入場改札処理を行なう改札手段と、
前記読取手段により読み取られた識別情報に基づき情報送信先アドレスを検索する検索手段と、
前記検索手段により検索された情報送信先アドレスに対して、公衆通信網を介して前記情報記録媒体による入場改札処理情報を送信する情報送信手段と、
公衆通信網を介して、前記情報送信手段から送信される入場改札処理情報、及び各種送信先から送信される各種情報を受信する受信手段と、
前記受信手段により受信された入場改札処理情報及び予め格納した動作制御プログラムに基づき、各種情報の着信を通知する第１の着信モードから第２の着信モードへの切り換えを制御する着信モード切換制御手段と、
前記着信モード切換制御手段により切換制御された第１又は第２の着信モードに基づき、各種情報の着信時に各種情報の着信を通知する着信通知手段と、
前記受信手段により受信された各種情報を出力する出力手段と、
を備えたことを特徴とする情報送受信システム。
【請求項４】
情報記憶媒体から識別情報及び改札判定必要情報を読み取る第１の読取手段と、
前記第１の読取手段により読み取られた改札判定必要情報に基づき入場改札処理を行なう入場改札手段と、
前記第１の読取手段により読み取られた識別情報に基づき情報送信先アドレスを検索する第１の検索手段と、
前記第１の検索手段により検索された情報送信先アドレスに対して、公衆通信網を介して前記情報記憶媒体による入場改札処理情報を送信する第１の情報送信手段と、
情報記憶媒体から識別情報及び改札判定必要情報を読み取る第２の読取手段と、
前記第２の読取手段により読み取られた改札判定必要情報に基づき出場改札処理を行なう出場改札手段と、
前記第２の読取手段により読み取られた識別情報に基づき情報送信先アドレスを検索する第２の検索手段と、
前記第２の検索手段により検索された情報送信先アドレスに対して、公衆通信網を介して前記情報記憶媒体による出場改札処理情報を送信する第２の情報送信手段と、
公衆通信網を介して、前記第１の情報送信手段から送信される入場改札処理情報、前記第２の情報送信手段から送信される出場改札処理情報、及び各種送信先から送信される各種情報を受信する受信手段と、
前記受信手段により受信された入場改札処理情報及び予め格納した動作制御プログラムに基づき、各種情報の着信を通知する第１の着信モードから第２の着信モードへの切り換えを制御し、前記受信手段により受信された出場改札処理情報及び予め格納した動作制御プログラムに基づき、前記第２の着信モードから前記第１の着信モードへの切り換えを制御する着信モード切換制御手段と、
前記着信モード切換制御手段により切換制御された第１又は第２の着信モードに基づき、各種情報の着信時に各種情報の着信を通知する着信通知手段と、
前記受信手段により受信された各種情報を出力する出力手段と、
を備えたことを特徴とする情報送受信システム。
【請求項５】
前記第１の着信モードは、音により各種情報の着信を通知するモードであり、
前記第２の着信モードは、振動により各種情報の着信を通知するモードである、
ことを特徴とする請求項３又は４に記載の情報送受信システム。
【請求項６】
公衆通信網を介して、登録先から送信される利用情報、及び各種送信先から送信される各種情報を受信する受信手段と、
前記受信手段により受信された利用情報及び予め格納した動作制御プログラムに基づき、各種情報の着信を通知する着信モードの切り換えを制御する着信モード切換制御手段と、
前記着信モード切換制御手段により切換制御された着信モードに基づき、各種情報の着信時に各種情報の着信を通知する着信通知手段と、
前記受信手段により受信された各種情報を出力する出力手段と、
を備えたことを特徴とする情報出力端末。
【請求項７】
公衆通信網を介して、改札処理に対応して登録先から送信される改札処理情報、及び各種送信先から送信される各種情報を受信する受信手段と、
前記受信手段により受信された改札処理情報及び予め格納した動作制御プログラムに基づき、各種情報の着信を通知する着信モードの切り換えを制御する着信モード切換制御手段と、
前記着信モード切換制御手段により切換制御された着信モードに基づき、各種情報の着信時に各種情報の着信を通知する着信通知手段と、
前記受信手段により受信された各種情報を出力する出力手段と、
を備えたことを特徴とする情報出力端末。
【請求項８】
公衆通信網を介して、入場改札処理に対応して登録先から送信される入場改札処理情報、及び各種送信先から送信される各種情報を受信する受信手段と、
前記受信手段により受信された入場改札処理情報及び予め格納した動作制御プログラムに基づき、各種情報の着信を通知する第１の着信モードから第２の着信モードへの切り換えを制御する着信モード切換制御手段と、
前記着信モード切換制御手段により切換制御された第１又は第２の着信モードに基づき、各種情報の着信時に各種情報の着信を通知する着信通知手段と、
前記受信手段により受信された各種情報を出力する出力手段と、
を備えたことを特徴とする情報出力端末。
【請求項９】
公衆通信網を介して、入場改札処理に対応して登録先から送信される入場改札処理情報、出場改札処理に対応して登録先から送信される出場改札処理情報、及び各種送信先から送信される各種情報を受信する受信手段と、
前記受信手段により受信された入場改札処理情報及び予め格納した動作制御プログラムに基づき、各種情報の着信を通知する第１の着信モードから第２の着信モードへの切り換えを制御し、前記受信手段により受信された出場改札処理情報及び予め格納した動作制御プログラムに基づき、前記第２の着信モードから前記第１の着信モードへの切り換えを制御する着信モード切換制御手段と、
前記着信モード切換制御手段により切換制御された第１又は第２の着信モードに基づき、各種情報の着信時に各種情報の着信を通知する着信通知手段と、
前記受信手段により受信された各種情報を出力する出力手段と、
を備えたことを特徴とする情報出力端末。
【請求項１０】
前記第１の着信モードは、音により各種情報の着信を通知するモードであり、
前記第２の着信モードは、振動により各種情報の着信を通知するモードである、
ことを特徴とする請求項８又は９に記載の情報出力端末。
【発明の詳細な説明】
【技術分野】
【０００１】
本発明は、インターネット接続環境を持つ携帯電話やＰＨＳなどの情報出力端末を利用した情報送受信システムに関する。また、これら携帯電話やＰＨＳなどの情報出力端末に関する。
【背景技術】
【０００２】
近年、携帯電話やＰＨＳなどの携帯端末（情報出力端末）の普及が目覚しく、このような携帯端末を所持したユーザに対してはユーザの居場所に関係なく比較的自由に連絡を取ることができる。しかしながら、公共交通機関における車内では、このような携帯端末の利用が他人の迷惑となることがあり、携帯端末の利用を控えるのがマナーとなっている。
【０００３】
例えば、公共交通機関の駅に設置される自動改札機が携帯端末へコマンドを送信し、携帯端末に対してマナーモードを設定する技術が提案されている（特許文献１、２参照）。
【特許文献１】特公平１０−１９１４５４号公報
【特許文献２】特開２０００−２６８２１５号公報
【発明の開示】
【発明が解決しようとする課題】
【０００４】
しかしながら、上記提案された技術によると、自動改札機と携帯端末とが直接通信するための設備が必要となり、ハードウェアを整備するという点で費用及び時間がかかるという問題がある。
【０００５】
本発明の目的は、上記課題を解決するためになされたものであり、簡単な設備で状況に応じて端末を制御することが可能な情報送受信システムを提供することにある。また、本発明の目的は、新規のハードウェア構成を必要とせずに状況に応じた動作を実行する情報出力端末を提供することにある。
【課題を解決するための手段】
【０００６】
この発明の情報送受信システム及び情報出力端末は、以下のように構成されている。
【０００７】
（１）この発明の情報送受信システムは、情報記憶媒体から識別情報を読み取る読取手段と、前記読取手段により読み取られた識別情報に基づき情報送信先アドレスを検索する検索手段と、前記検索手段により検索された情報送信先アドレスに対して、公衆通信網を介して前記情報記憶媒体の利用情報を送信する情報送信手段と、公衆通信網を介して利用情報を受信する受信手段と、前記受信手段により受信された利用情報及び予め格納した動作制御プログラムに基づき、動作を制御する（着信モードを切り換える）動作制御手段とを備えている。
【０００８】
（２）この発明の情報出力端末は、公衆通信網を介して、登録先から送信される利用情報、及び各種送信先から送信される各種情報を受信する受信手段と、前記受信手段により受信された動作制御情報及び予め格納した動作制御プログラムに基づき、各種情報の着信を通知する着信モードの切り換えを制御する着信モード切換制御手段と、前記着信モード切換制御手段により切換制御された着信モードに基づき、各種情報の着信時に各種情報の着信を通知する着信通知手段と、前記受信手段により受信された各種情報を出力する出力手段とを備えている。
【発明の効果】
【０００９】
本発明によれば、簡単な設備で状況に応じて端末を制御することが可能な情報送受信システムを提供できる。また、本発明によれば、新規のハードウェア構成を必要とせずに状況に応じた動作を実行する情報出力端末を提供できる。
【発明を実施するための最良の形態】
【００１０】
以下、図面を参照し、本発明の実施形態について説明する。
【００１１】
図１は、本発明の一例に係る情報送受信システムの一例を示す図である。以下、本発明の情報送受信システムを改札処理システムに適用した例について説明する。
【００１２】
図１に示すように、情報送受信システムは、ＩＣカード（情報記憶媒体）１、自動改札機２、メール配信サーバ３、端末４により構成される。
【００１３】
ＩＣカード１は、ＩＣチップ１０１及びアンテナ１０２を備えている。ＩＣチップ１０１は、ＩＣカードの識別情報（ＩＤ）及び改札判定必要情報を記憶する。改札判定必要情報とは、例えば入出場履歴、有効乗車区間情報、有効乗車期限情報、運賃として利用可能な金額情報（残額情報）である。アンテナ１０２は、自動改札機２に対して識別情報及び改札判定必要情報を送信したり、自動改札機２から入出場履歴を受信したりする。
【００１４】
自動改札機２は、改札処理部２０１、ＩＣカード用アンテナ２０２、通信部２０３を備えている。ＩＣカード用アンテナ２０２は、ＩＣカード１から送信される識別情報及び改札判定必要情報を受信する。つまり、ＩＣカード用アンテナ２０２は読取手段として機能する。改札処理部２０１は、ＩＣカード用アンテナ２０２により受信された改札判定必要情報に基づき改札の可否を判定し、改札通路の通行を阻止するドアの開閉を制御する。つまり、改札処理部２０１は、改札手段として機能する。サーバ通信部２０３は、ＩＣカード用アンテナ２０２により受信された識別情報をメール配信サーバ３へ送信する。
【００１５】
メール配信サーバ３は、メール配信制御部３０１、メール配信先情報記憶部３０２、改札機用通信部３０３、端末用通信部３０４を備えている。メール配信制御部３０１は、インターネット等の公衆通信網を経由して、メール送信先アドレスの設定登録を受信する。例えば、メール配信制御部３０１は、ＩＣカードの利用者情報（氏名、電話番号など）と共にメール送信先アドレスを受信する。メール配信先情報記憶部３０２は、予め発行済みのＩＣカードの識別情報と利用者情報とを記憶している。メール配信制御部３０１により利用者情報と共にメール送信先アドレスが受信されると、メール配信先情報記憶部３０２は、該当の利用者情報に対応付けてメール送信先アドレスを登録する。つまり、メール配信先情報記憶部３０２は、ＩＣカードの識別情報、利用者情報、及びメール送信先アドレスを対応付けて管理する。改札機用通信部３０３は、自動改札機２から送信される情報を受信する。端末用通信部３０４は、インターネット等の公衆通信網を介して端末に対して情報を送信する。これら改札機用通信部３０３及び端末用通信部３０４により送受信される情報については、以下の詳細に説明する。
【００１６】
端末４は、通信部４０１、操作入力部４０２、出力部４０３、アプリケーション記憶部４０４、アプリケーション実行部４０５、着信通知部４０６を備えている。端末４は、例えば、インターネット等の公衆通信網への接続環境を持つ携帯電話（ＰＨＳ含む）などである。端末４は、通信部４０１を介してアプリケーションプログラム提供サーバに接続し、所望のアプリケーションプログラムをダウンロード（例えば有料）することができる。アプリケーション記憶部４０４は、ダウンロードされたアプリケーションプログラムを記憶する。アプリケーション実行部４０５は、アプリケーション記憶部４０４に記憶されたアプリケーションプログラムを実行する。
【００１７】
図２は、メール配信サーバ３に対してメール送信の一時停止や再開を設定する画面の一例を示す図である。図２に示すように、画面上には、ＩＣカードの利用者情報の一つである名前を入力する項目（さらに電話番号を入力する項目があってもよい）、ＩＣカードの識別情報（定期券番号）を入力する項目、送信先アドレス（メールアドレス）を入力する項目が表示され、さらにはメール送信の停止又は解除を指定する項目が表示される。
【００１８】
図３は、端末４の出力部４０３に表示される自動モード設定画面の一例を示す図である。メール配信サーバ３に対してメール送信の設定が完了し、例えばメール配信サーバ３からメール送信設定完了の通知を受信すると、自動モード設定画面上では［ＯＮ］が表示される。逆に、メール配信サーバ３に対してメール送信の設定をしていない又は一時停止を設定していると（メール配信サーバ３からのメール送信設定完了の通知未受信又は一時停止の通知受信）、自動モード設定画面上では、［ＯＦＦ］が表示される。
【００１９】
図４は、メール配信サーバ３のメール配信先情報記憶部３０２により管理されるメール配信先情報（メールアドレス登録テーブル）の一例を示す図である。図４に示すように、ＩＣカードの識別情報（ＩＤ）、メール送信先アドレス（メールアドレス）、サービス利用状態（メール送信のＯＮ／ＯＦＦ）が管理される。図４には示されていないが、さらに利用者情報（氏名、電話番号）も併せて管理している。
【００２０】
次に、図５及び図６に示すフローチャートを参照して、図１に示す情報送受信システムによる情報の送受信処理について説明する。図５は、自動改札機とメール配信サーバとの間の情報の送受信を示すフローチャートである。図６は、メール配信サーバと端末との間の情報の送受信を示すフローチャートである。
【００２１】
図５に示すように、ＩＣカードの利用により情報送受信処理がスタートする。例えば、利用者によりＩＣカード１が自動改札機２へ投入されたり、或いは自動改札機２のアンテナ付近に翳されたりすると、ＩＣカード１と自動改札機２との間の通信が確立する。これにより、ＩＣカード１のアンテナ１０２から自動改札機２のＩＣカード用アンテナ２０２に対して、識別情報及び改札判定必要情報が送信され、改札処理が実行される（ＳＴ１０１）。つまり、自動改札機２の改札処理部２０２は、改札判定必要情報に基づき改札の可否を判定する。自動改札機２の改札処理部２０２により改札が許可されると、自動改札機２の通信部２０３は、ＩＣカードの識別情報及び改札処理情報（今回の入場処理情報／今回の出場処理情報）を１レコードとしてメール配信サーバ３へ送信する（ＳＴ１０２）。改札処理情報とは、所謂利用情報であり、入場駅及び入場時刻等の情報を含む入場改札処理情報（利用種別として乗車の情報を含む）、又は出場駅及び出場時刻等の情報を含む出場改札処理情報（利用種別として降車の情報を含む）のいずれかである。図７は、自動改札機２の通信部２０３がメール配信サーバ３へ送信する情報テーブルの一例を示す図である。図７に示すように、利用種別として乗車の情報を含む情報が入場改札処理情報であり、利用種別として降車の情報を含む情報が出場改札処理情報である。なお、通勤ラッシュ時などで自動改札機２の処理能力に余裕が無い場合は、複数レコードを一括してメール配信サーバ３へ送信する。
【００２２】
メール配信サーバ３は、改札機用通信部３０３を介して、ＩＣカードの識別情報及び改札処理情報を受信する（ＳＴ２０１）。メール配信サーバ３のメール配信制御部３０１は、自動改札機２から送信されたＩＣカードの識別情報に基づき、メール配信先情報記憶部３０２に記憶されたメール送信先アドレスを検索し、該当アドレスへメールを送信する（ＳＴ２０２）。つまり、メール配信サーバ３は、端末用通信部３０４を介して（インターネットなどの公衆通信網を介して）端末４に対してＩＣカード４の改札処理情報を含むメールを送信する。
【００２３】
端末４は、通信部４０１を介して（インターネットなどの公衆通信網を介して）、メール配信サーバ３から送信されるＩＣカード４の入出場履歴情報を含むメールを受信する（ＳＴ３０１）。このメールの受信に対応して、着信モード切替制御手段として機能するアプリケーション実行部４０５はアプリケーション記憶部４０４に記憶された着信モード切り換えアプリケーションプログラムを起動する（ＳＴ３０１）。着信モード切り換えアプリケーションプログラムは、受信した改札処理情報（入場改札処理情報又は出場改札処理情報）に基づき、着信モードを切り換える。例えば、入場改札処理情報の受信に対応して（ＳＴ３０２、ＹＥＳ）、第１の着信モード（非マナーモード）から第２の着信モード（マナーモード）へ切り換える（ＳＴ３０３）。出場改札処理情報の受信に対応して（ＳＴ３０４、ＹＥＳ）、入場前のモードに戻す（ＳＴ３０５）。例えば、出場改札処理情報の受信に対応して、第２の着信モードから第１の着信モードへ切り換える。
【００２４】
第１の着信モード、つまり非マナーモードとは、例えば音により各種情報の着信を通知するモードである。また、第２の着信モード、つまりマナーモードとは、例えば音以外の振動等により各種情報の着信を通知するモードである（或いは一切の着信を受け付けないモードであってもよい）。
【００２５】
よって、第１の着信モードが設定されている状態で、通信部４０１を介して（インターネットなどの公衆通信網を介して）、各種送信先から各種情報（知人からのメールや知人からの通話）を受信すると、着信通知部４０６により音により着信が通知される。また、第２の着信モードが設定されている状態で、通信部４０１を介して（インターネットなどの公衆通信網を介して）、各種送信先から各種情報を受信すると、着信通知部４０６により音以外の振動等により着信が通知される。
【００２６】
これまでは、鉄道等の公共交通機関利用する際に、手動にて携帯電話の設定をマナーモードへ切り換える必要があった。本発明によれば、この切り換えを自動化することができる。つまり、乗車時に（入場改札処理に対応して）自動で端末（携帯電話）の着信モードをマナーモードにしたり、降車時に（出場改札処理に対応して）自動で着信モードを元のモード（非マナーモード）に設定したりすることで、利便性とマナーの向上を図ることができる。しかも、自動改札機が、直接、携帯電話に設定変更の通知をするわけではなく、既存のインターネット等の公衆通信網を利用したメール送信により設定変更を通知するので、自動改札機と携帯電話等の端末が直接通信するための設備も不要である。結果的に、携帯電話及びＰＨＳ利用による旅客同士のトラブルを低減出来る。また、携帯電話及びＰＨＳ利用の案内を促す放送を少なからず控えることが出来るので、駅係員の業務効率の向上が期待できる。
【００２７】
なお、上記した情報送受信システムは、コンサート会場等に設置される入出場ゲートにおいても適用できる。また、競技場等の入出場ゲートにおいても適用できる。また、スキー場等の入出場ゲートにおいても利用出来る。また、高速道路等のＥＴＣにおいても適用できる。また、場合によってはメールの内容を暗号・復号することもできる。また、本システムの課金方法としては従量課金、月額固定課金どちらであってもよい。
【００２８】
本発明の情報送受信システムによれば、以下の作用効果が得られる。
【００２９】
（１）入出場ゲート通過時（自動改札機２による改札処理時）に、入出場ゲート（自動改札機２）から構内ネットワークを経由してメール配信サーバからメールを配信することにより、メールを受信した端末の着信モードが切り替わる。
【００３０】
例えば、駅の自動改札機２がＩＣカード１（又は普通定期券）による改札処理を実行した場合（利用者がＩＣカードにより自動改札機２を通過した場合）に、自動改札機２は、構内ネットワークを経由してメール配信サーバ３へＩＣカードの識別情報（又は普通定期券の識別情報）及び改札処理情報を送信する。メール配信サーバ３は、ＩＣカードの識別情報（又は普通定期券の識別情報）に基づきメール送信先アドレスを検索し、改札処理情報を含むメールを配信する。メールを受け取った端末は、このメール及び事前にダウンロードした着信モード切り換えアプリケーションプログラムに基づき、着信モードを制御する。例えば、入場改札処理情報の受信に対応して、着信モードをマナーモードに切り換える。出場改札処理情報の受信に対応して、元のモード（例えば非マナーモード）に戻す
（２）入出場ゲート通過時（自動改札機２による改札処理時）に、入出場ゲート（自動改札機２）から構内ネットワークを経由してメール配信サーバからのメールを配信することと、メールを受信することによって端末の動作モードを自動で切り換えるソフトウェアの提供に対して、課金することができる。
【００３１】
つまり、情報送受信システムの利用者（又は運用事業者）に対してソフトウェア（着信モード切り換えアプリケーションプログラム）のライセンス料を課金することができる。また、情報送受信システムの利用者に対してメール配信毎に課金することもできる。なお、課金方法としては従量課金、月額固定課金どちらであってもよい。また、インターネット環境を利用して、情報送受信システムによるサービスの開始又は停止手続きができる。なお、情報送受信システムによる本サービスの開始又は停止手続きを窓口業務で受け付けるようにしてもよい。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３３】
【図１】本発明の一例に係る情報送受信システムの一例を示す図である。
【図２】メール配信サーバに対してメール送信の一時停止や再開を設定する画面の一例を示す図である。
【図３】端末の出力部に表示される自動モード設定画面の一例を示す図である。
【図４】メール配信サーバのメール配信先情報記憶部により管理されるメール配信先情報（メールアドレス登録テーブル）の一例を示す図である。
【図５】自動改札機とメール配信サーバとの間の情報の送受信を示すフローチャートである。
【図６】メール配信サーバと端末との間の情報の送受信を示すフローチャートである。
【図７】自動改札機の通信部がメール配信サーバへ送信する情報テーブルの一例を示す図である。
【符号の説明】
【００３４】
１…ＩＣカード、２…自動改札機、３…メール配信サーバ、４…端末、１０１…ＩＣチップ、１０２…アンテナ、２０１…改札処理部、２０２…ＩＣカード用アンテナ、２０３…通信部、３０１…メール配信制御部、３０２…メール配信先情報記憶部、３０３…改札機用通信部、３０４…端末用通信部、４０１…通信部、４０２…操作入力部、４０３…出力部、４０４…アプリケーション記憶部、４０５…アプリケーション実行部、４０６…着信通知部
【図１】
2006060598.tif 000003
【図２】
2006060598.tif 000004
【図３】
2006060598.tif 000005
【図４】
2006060598.tif 000006
【図５】
2006060598.tif 000007
【図６】
2006060598.tif 000008
【図７】
2006060598.tif 000009